【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
撮像装置であって、
所定の期間、光電変換を行い、電荷を蓄積する光電変換手段と、
前記光電変換手段から転送された電荷を信号に変換するための変換手段と、
前記光電変換手段から転送された電荷を排斥する排斥手段と、
前記光電変換手段に蓄積された電荷を、前記変換手段あるいは前記排斥手段に転送する転送手段と、
前記変換手段により変換された信号から画像を生成する生成手段と、を有し、
前記転送手段は、
前記所定の期間のうちの予め決められた第１の期間、飽和電荷量以上の電荷を前記光電変換手段から前記変換手段に転送し、
前記第１の期間の経過後、前記所定の期間のうちの予め決められた第２の期間、前記飽和電荷量以上の電荷を前記光電変換手段から前記排斥手段に転送し、
前記生成手段は、前記第１の期間に前記変換手段に転送された電荷から得られた第１の信号、前記第２の期間に前記排斥手段から排斥された電荷に対応する第２の信号、及び前記所定の期間の経過後に前記光電変換手段から前記変換手段に転送された電荷から得られた第３の信号を用いて画像を生成する
ことを特徴とする撮像装置。
【請求項２】
前記転送手段は、
前記光電変換手段に蓄積された電荷を前記変換手段に転送するための第１の転送トランジスタと、
前記第１の転送トランジスタのゲート電圧をオンレベル、オフレベル及びその中間レベルにすることが可能な第１の駆動手段と、
前記光電変換手段に蓄積された電荷を前記排斥手段に転送するための第２の転送トランジスタと、
前記第２の転送トランジスタのゲート電圧をオンレベル及びオフレベルにすることが可能な第２の駆動手段と、
を有し、
前記第１の期間、前記第１の駆動手段により前記第１の転送トランジスタのゲート電圧を前記オフレベルから前記中間レベルに遷移させることにより前記変換手段へ前記飽和電荷量以上の電荷を転送した後、前記第１の転送トランジスタのゲート電圧を前記中間レベルから前記オフレベルに遷移させ、
前記第２の期間、前記第２の駆動手段により前記第２の転送トランジスタのゲート電圧を前記オフレベルから前記オンレベルに遷移させることにより前記飽和電荷量以上の電荷を排斥手段へ転送する
ことを特徴とする請求項１に記載の撮像装置。
【請求項３】
前記第３の信号は、前記第２の転送トランジスタのゲート電圧がオンレベルからオフレベルに遷移した際に前記光電変換手段に蓄積されている電荷から得られる
ことを特徴とする請求項２に記載の撮像装置。
【請求項４】
前記光電変換手段、前記変換手段、及び前記排斥手段は、撮像素子の１つの画素に対応し、
前記生成手段は、１つの画素において前記第１の信号の信号レベルがゼロレベルであり、かつ前記第３の信号の信号レベルが前記飽和電荷量に対応する信号レベルである場合は、生成した画像のうちの当該画素の画素値を、隣接する画素の画素値により補間する
ことを特徴とする請求項１乃至３のいずれか１項に記載の撮像装置。
【請求項５】
前記第１の信号は、前記第２の期間に前記変換手段により変換されて読み出される
ことを特徴とする請求項１乃至４のいずれか１項に記載の撮像装置。
【請求項６】
所定の期間、光電変換を行い、電荷を蓄積する光電変換手段と、前記光電変換手段から転送された電荷を信号に変換するための変換手段と、前記光電変換手段から転送された電荷を排斥する排斥手段と、を備えた撮像装置の制御方法であって、
転送手段が、前記光電変換手段に蓄積された電荷を、前記変換手段あるいは前記排斥手段に転送する転送ステップと、
生成手段が、前記変換手段により変換された信号から画像を生成する生成ステップと、を有し、
前記転送ステップにおいて前記転送手段は、
前記所定の期間のうちの予め決められた第１の期間、飽和電荷量以上の電荷を前記光電変換手段から前記変換手段に転送し、
前記第１の期間の経過後、前記所定の期間のうちの予め決められた第２の期間、前記飽和電荷量以上の電荷を前記光電変換手段から前記排斥手段に転送し、
前記生成ステップにおいて前記生成手段は、前記第１の期間に前記変換手段に転送された電荷から得られた第１の信号、前記第２の期間に前記排斥手段から排斥された電荷に対応する第２の信号、及び前記所定の期間の経過後に前記光電変換手段から前記変換手段に転送された電荷から得られた第３の信号を用いて画像を生成する
ことを特徴とする撮像装置の制御方法。
【手続補正２】
【補正対象書類名】明細書
【補正対象項目名】００１０
【補正方法】変更
【補正の内容】
【００１０】
本発明の第１側面に係る撮像装置は、撮像装置であって、所定の期間、光電変換を行い、電荷を蓄積する光電変換手段と、光電変換手段から転送された電荷を信号に変換するための変換手段と、光電変換手段から転送された電荷を排斥する排斥手段と、光電変換手段に蓄積された電荷を、変換手段あるいは排斥手段に転送する転送手段と、変換手段により変換された信号から画像を生成する生成手段と、を有し、転送手段は、所定の期間のうちの予め決められた第１の期間、飽和電荷量以上の電荷を光電変換手段から変換手段に転送し、第１の期間の経過後、所定の期間のうちの予め決められた第２の期間、飽和電荷量以上の電荷を光電変換手段から排斥手段に転送し、生成手段は、第１の期間に変換手段に転送された電荷から得られた第１の信号、第２の期間に排斥手段から排斥された電荷に対応する第２の信号、及び所定の期間の経過後に光電変換手段から変換手段に転送された電荷から得られた第３の信号を用いて画像を生成することを特徴とする。
【手続補正３】
【補正対象書類名】明細書
【補正対象項目名】００１１
【補正方法】変更
【補正の内容】
【００１１】
本発明の第２側面に係る撮像装置の制御方法は、所定の期間、光電変換を行い、電荷を蓄積する光電変換手段と、光電変換手段から転送された電荷を信号に変換するための変換手段と、光電変換手段から転送された電荷を排斥する排斥手段と、を備えた撮像装置の制御方法であって、転送手段が、光電変換手段に蓄積された電荷を、変換手段あるいは排斥手段に転送する転送ステップと、生成手段が、変換手段により変換された信号から画像を生成する生成ステップと、を有し、転送ステップにおいて転送手段は、所定の期間のうちの予め決められた第１の期間、飽和電荷量以上の電荷を光電変換手段から変換手段に転送し、第１の期間の経過後、所定の期間のうちの予め決められた第２の期間、飽和電荷量以上の電荷を光電変換手段から排斥手段に転送し、生成ステップにおいて生成手段は、第１の期間に変換手段に転送された電荷から得られた第１の信号、第２の期間に排斥手段から排斥された電荷に対応する第２の信号、及び所定の期間の経過後に光電変換手段から変換手段に転送された電荷から得られた第３の信号を用いて画像を生成することを特徴とする。
【手続補正４】
【補正対象書類名】明細書
【補正対象項目名】００４１
【補正方法】変更
【補正の内容】
【００４１】
Ｍｔｘは、第１の転送部である。第１の転送部Ｍｔｘは、光電変換部ＰＤと電荷電圧変換部ＦＤとの間に配されている（図３参照）。第１の転送トランジスタである第１の転送部Ｍｔｘは、ゲート電圧がオンレベルである活性状態では、光電変換部ＰＤにより蓄積された電荷を電荷電圧変換部ＦＤへ転送する。また、ゲート電圧がオフレベルである非活性状態では、光電変換部ＰＤにより蓄積された電荷は電荷電圧変換部ＦＤへは転送しない。また、ゲート電圧がオンレベルとオフレベルの中間レベルである非活性状態の場合には、光電変換部ＰＤにより蓄積された電荷を電荷電圧変換部ＦＤへ一部転送する。言い換えると、第１の転送部Ｍｔｘは、アクティブな信号ＰＴＸ０が垂直走査回路２０（における第１の駆動手段）からゲートに供給された際に活性状態になる。また、第１の転送部Ｍｔｘは、第１の電位及び第１の電位よりも低い第２の電位のノンアクティブな信号ＰＴＸ０が垂直走査回路２０（における第１の駆動手段）からゲートに供給された際に非活性状態になる。